(57)【要約】【課題】コストの増加を防ぎつつ、連続して排出トレイに排出される複数の冊子を仕分け可能な画像形成システムを提供する。【解決手段】画像形成システムは、画像形成部により画像が形成されたシートを冊子状に折り込む折り込み処理を行う折り処理部と、折り処理部により折り込まれた冊子の天地を裁断する裁断処理を行う裁断処理部とを備える。画像形成システムの制御システムは、画像のシート幅方向における中心が、シートのシート幅方向における中心に対して、天側に位置するようにシートに画像を形成する画像形成処理を行った後に折り込み処理を行う。その後、制御システムは、地の裁断幅が天の裁断幅よりも大きくなるように裁断処理を行うシフト制御を実行する。【選択図】図１１
2020128273.tif 000002
【特許請求の範囲】
【請求項１】
シートに画像を形成する画像形成部と、
前記画像形成部により画像が形成されたシートを冊子状に折り込む折り込み処理を行う折り処理部と、
前記折り処理部により折り込まれた冊子の、シート搬送方向に直交するシート幅方向における第１端部を第１裁断幅で裁断すると共に、前記第１端部とは反対の第２端部を第２裁断幅で裁断する裁断処理を行う裁断処理部と、
画像の前記シート幅方向における中心が、シートの前記シート幅方向における中心に対して、前記第１端部側に位置するようにシートに画像を形成する画像形成処理を行った後に前記折り込み処理を行い、その後、前記第２裁断幅が前記第１裁断幅よりも大きくなるように前記裁断処理を行うシフト制御を実行可能な制御部と、を備える、
ことを特徴とする画像形成システム。
【請求項２】
前記画像形成処理における画像の前記シート幅方向における中心とシートの前記シート幅方向における中心との距離は、前記裁断処理における前記第２裁断幅と前記第１裁断幅との差の半分に設定される、
ことを特徴とする請求項１に記載の画像形成システム。
【請求項３】
前記第１裁断幅は、前記裁断処理において前記第１端部を裁断可能な最小の裁断幅であり、
前記距離は、ユーザが指定した前記第１端部側の裁断可能領域幅から前記最小の裁断幅を引いた値に設定される、
ことを特徴とする請求項２に記載の画像形成システム。
【請求項４】
前記第１裁断幅は、前記裁断処理において前記第１端部を裁断可能な最小の裁断幅であり、
前記距離は、ユーザが指定した前記第１端部側の余白幅から前記最小の裁断幅を引いた値に設定される、
ことを特徴とする請求項２に記載の画像形成システム。
【請求項５】
前記シフト制御は、第１シフト制御であり、
前記制御部は、画像の前記シート幅方向における中心が、シートの前記シート幅方向における中心に対して、前記第２端部側に位置するようにシートに画像を形成する画像形成処理を行った後に前記折り込み処理を行い、その後、前記第１裁断幅が前記第２裁断幅よりも大きくなるように前記裁断処理を行う第２シフト制御を実行可能である、
ことを特徴とする請求項１乃至４のいずれか１項に記載の画像形成システム。
【請求項６】
前記制御部は、複数の冊子を形成する際に、ジョブごとに前記第１シフト制御と前記第２シフト制御とを切り換えて実行する、
ことを特徴とする請求項５に記載の画像形成システム。
【発明の詳細な説明】
【技術分野】
【０００１】
本発明は、シートに画像を形成する画像形成システムに関する。
【背景技術】
【０００２】
従来、画像が形成されたシートに各種処理を施すシート処理装置を有する画像形成システムが知られている。その画像形成システムとして、プリンタ部と、プリンタ部により画像が形成されたシート束を中綴じして製本するフィニッシャと、製本された冊子の端部を裁断することにより切り揃えるトリマとを備えるものが提案されている（特許文献１参照）。
【先行技術文献】
【特許文献】
【０００３】
【特許文献１】特開２００４−２１０５０９号公報
【発明の概要】
【発明が解決しようとする課題】
【０００４】
ところで、特許文献１に記載の画像形成システムでは、連続して複数のジョブが実行された場合に、作成された冊子が仕分けされずに排出トレイに蓄積される。このために、この画像形成システムでは、ユーザが排出された複数の冊子から所望のジョブによる冊子を取る際に、その冊子と共に誤って異なるジョブによる冊子を取ってしまう虞がある。このような画像形成システムに対して、プリンタ等の画像形成装置では、排出されたシートの混在を防ぐためにシートをジョブごと又は１枚ごとに仕分けする機能を有するものが知られている。例えば、シート幅方向に移動可能な排出トレイを有し、ジョブごと又はシート１枚ごとに排出トレイをシート幅方向に移動させることにより、排出トレイに排出されるシートの位置を一定幅シフトさせて、シートを仕分けする画像形成装置がある。しかしながら、画像形成システムに対してこのような画像形成装置と略同様の機能を適用するためには、冊子が排出される排出トレイをシート幅方向に移動させる機構を画像形成システムに設ける必要があり、画像形成システムの製造コストが増加する虞がある。
【０００５】
そこで、本発明は、コストの増加を防ぎつつ、連続して排出される複数の冊子を仕分け可能な画像形成システムを提供することを目的とする。
【課題を解決するための手段】
【０００６】
本発明は、画像形成システムにおいて、シートに画像を形成する画像形成部と、前記画像形成部により画像が形成されたシートを冊子状に折り込む折り込み処理を行う折り処理部と、前記折り処理部により折り込まれた冊子の、シート搬送方向に直交するシート幅方向における第１端部を第１裁断幅で裁断すると共に、前記第１端部とは反対の第２端部を第２裁断幅で裁断する裁断処理を行う裁断処理部と、画像の前記シート幅方向における中心が、シートの前記シート幅方向における中心に対して、前記第１端部側に位置するようにシートに画像を形成する画像形成処理を行った後に前記折り込み処理を行い、その後、前記第２裁断幅が前記第１裁断幅よりも大きくなるように前記裁断処理を行うシフト制御を実行可能な制御部と、を備える、ことを特徴とする。
【発明の効果】
【０００７】
本発明によると、製本された冊子を仕分けする専用の機構を設けることなく、冊子が排出される位置をシート幅方向にシフトさせることが可能である。これにより、コストの増加を防ぎつつ、連続して排出される複数の冊子を仕分けすることができる。
【図面の簡単な説明】
【０００８】
【図１】本実施形態に係る画像形成システムの構成を示す概略図。
【図２】冊子の形状を示す概略図であり、（ａ）は冊子の小口を示す図であり、（ｂ）は天及び地を示す図である。
【図３】画像形成システムにおけるフィニッシャの構成を示す概略図。
【図４】フィニッシャにおけるパンチユニットを示す平面図。
【図５】画像形成システムにおける小口トリマを示す概略図であり、（ａ）は正面図であり、（ｂ）は平面図である。
【図６】画像形成システムにおける天地トリマを示す概略図であり、（ａ）は正面図であり、（ｂ）は平面図である。
【図７】画像形成システムにおける制御システム及びプリンタ制御部を示すブロック図。
【図８】冊子に含まれるシートにおける天の裁断幅及び地の裁断幅を説明する図。
【図９】制御システムにおけるフィニッシャ制御部を示すブロック図。
【図１０】制御システムにおける小口トリマ制御部を示すブロック図。
【図１１】制御システムにおける天地トリマ制御部を示すブロック図。
【図１２】天地の裁断処理設定に係る制御処理を示すフローチャート。
【図１３】ユーザ設定モードにおいて設定される画像のシフト幅、天の裁断幅及び地の裁断幅を示す図であり、（ａ）は奇数番目のジョブにおける設定値を示す図であり、（ｂ）は偶数番目のジョブにおけるシートにおける設定値を示す図である。
【図１４】ユーザ設定モードにおいて積載トレイに排出される冊子の位置を示す図であり、（ａ）は奇数番目のジョブにおける冊子を示す図であり、（ｂ）は偶数番目のジョブにおけるシートにおける冊子を示す図である。
【図１５】シフト最大モードにおいて設定される画像のシフト幅、天の裁断幅及び地の裁断幅を示す図であり、（ａ）は奇数番目のジョブにおける設定値を示す図であり、（ｂ）は偶数番目のジョブにおけるシートにおける設定値を示す図である。
【図１６】シフト最大モードにおいて積載トレイに排出される冊子の位置を示す図であり、（ａ）は奇数番目のジョブにおける冊子を示す図であり、（ｂ）は偶数番目のジョブにおけるシートにおける冊子を示す図である。
【発明を実施するための形態】
【０００９】
以下、図面に沿って、実施形態の構成について説明する。図１は、本実施形態に係る画像形成システム１の概略構成を示す断面図である。画像形成システム１は、図１に示すように、シートに画像を形成するプリンタ１０と、プリンタ１０により画像が形成されたシートを処理するシート処理装置１００とを備える。なお、本開示においては、プリンタに限らず、複写機、ファクシミリ及びこれら複合機器等、シートに画像を形成可能な画像形成部を備えた画像形成装置を適用可能である。また、シートとは、用紙又は封筒等の紙、オーバーヘッドプロジェクタ用のプラスチックフィルム（ＯＨＴ）、布などの薄層状の記録媒体を指す。また、以下の説明において、画像形成システム１を正面から視た状態（図１の視点）を基準にして上下左右及び手前奥の位置関係を表すものとする。また、画像形成システム１の構成部品の寸法、材質及びその相対位置は、特に特定的な記載がない限り、本発明の範囲をそれらのみに限定する趣旨のものではない。
【００１０】
シート処理装置１００は、プリンタ１０から排出されたシートに対して穿孔処理と、整合処理と、ステイプル処理と、シート束を冊子状に折り込む折り込み処理とを行うフィニッシャ１１０を有する。また、シート処理装置１００は、図２（ａ）に示す冊子の小口に対して裁断処理を行う小口トリマ１６０を有している。さらに、シート処理装置１００は、図２（ｂ）に示された、シート搬送方向に直交するシート幅方向における冊子の第１端部である天と、第１端部の反対の第２端部である地とに対して裁断処理を行う裁断処理部である天地トリマ１８０を有している。
【００１１】
［プリンタの概略構成］
プリンタ１０は、シートに画像を形成するプリンタ本体２０と、原稿の画像を読み取り可能な画像読取装置６０と、プリンタ本体２０、画像読取装置６０及びシート処理装置１００を操作するタッチパネル７０とを備えている。本実施形態においては、画像読取装置６０がプリンタ本体２０の上方に配置され、シート処理装置１００がプリンタ本体２０の左方に配置されている。画像読取装置６０は、原稿を載置するプラテンガラス６１と、プラテンガラス６１に沿って原稿の画像を光で走査して読み取る光学読取部６２とを備えている。また、画像読取装置６０は、原稿を自動給送可能な原稿給送装置であるＡＤＦ６３を備え、ＡＤＦ６３によりプラテンガラス６１に搬送された原稿を光学読取部６２により光学的に読み取ることができる。
【００１２】
プリンタ本体２０は、電子写真方式の白黒レーザビームプリンタであり、シートに画像を形成する画像形成部４０と、画像形成部４０にシートを給送するシート給送部３０とを備える。画像形成部４０は、感光ドラム４１と感光ドラム４１にレーザ光を照射するレーザスキャナユニット４２と、不図示の現像器とを備える。感光ドラム４１は、不図示の帯電ローラによって予め負電圧に帯電されており、画像読取装置６０により読み取られた画像又は不図示のパソコンから入力された画像の画像信号に基づいてレーザ光が照射される。これにより、感光ドラム４１は、レーザ光が照射された表面から負電荷が除去されて静電潜像が形成され、現像器により負電圧に帯電したトナーが静電潜像に付着されて、感光ドラム４１上にトナー像が現像される。
【００１３】
また、画像形成部４０は、感光ドラム４１に圧接する転写ローラ４３を備える。シート給送部３０から給送されたシートは、レジストレーションローラ対（以下、レジストローラ対と記載）４５により感光ドラム４１の回転に同期して感光ドラム４１及び転写ローラ４３の間に形成されたニップ部に搬送される。感光ドラム４１上のトナー像は、正電圧に帯電した転写ローラ４３に引き寄せられることにより、シートに転写される。
【００１４】
トナー像が転写されたシートは、定着装置５０に搬送され、定着装置５０により加熱及び加圧されることによりトナー像が定着され、シート処理装置１００のフィニッシャ１１０に排出される。シートの両面に画像形成する場合には、第１面にトナー像が形成されたシートは、反転搬送路５５にシートの前後及び表裏が反転した状態で搬送される。そして、シートは再度レジストローラ対４５へと搬送され、転写ローラ４３によってシートの第２面にトナー像が転写される。
【００１５】
［フィニッシャの詳細な構成］
フィニッシャ１１０は、図３に示すように、プリンタ１０から排出されたシートに対して穿孔処理を行う穿孔処理部１２０と、整合処理及びステイプル処理を行う処理部１３０と、折り込み処理を行う折り処理部１４０とを有している。図３は、フィニッシャ１１０の構成を示す概要図である。フィニッシャ１１０は、穿孔処理、整合処理、ステイプル処理及び折り込み処理の少なくとも１つのシート処理を行うように構成されている。
【００１６】
穿孔処理部１２０は、図３及び図４に示すように、シートを押圧して穿設するパンチ部１２２ｂが形成されたパンチユニット１２２と、パンチユニット１２２に連結され、パンチユニット１２２をスライド移動させる横レジモータ１２３とを有する。パンチユニット１２２は、横レジモータ１２３の動力によりシート幅方向である手前方向及び奥行き方向に移動する。図４は、穿孔処理部１２０におけるパンチユニット１２２の構成を示す平面図である。
【００１７】
パンチユニット１２２は、シート幅方向に延びるフレーム部１２２ａと、フレーム部１２２ａの下面に設けられたパンチ部１２２ｂと、奥行き方向におけるフレーム部１２２ａの下流端に設けられたラック部１２２ｃとを有する。パンチユニット１２２は、ラック部１２２ｃにおいて横レジモータ１２３の回転軸に固定されたピニオンギア１２３ａと係合しており、横レジモータ１２３の動力がピニオンギア１２３ａを介して伝達される。
【００１８】
穿孔処理部１２０は、発光素子と受光素子とを有する光センサであり、シート幅方向におけるパンチユニット１２２の初期位置を検知する横レジホームセンサ１２４を有している。パンチユニット１２２のフレーム部１２２ａには、奥行き方向の下流端において、横レジホームセンサ１２４の発光素子から受光素子に照射される光を遮ることが可能なフラグ１２４ａが設けられている。横レジホームセンサ１２４は、フレーム部１２２ａが奥行き方向に移動し、フラグ１２４ａにより発光素子の光が遮られることにより、パンチユニット１２２が初期位置に到達したことを検知する。
【００１９】
また、穿孔処理部１２０は、パンチユニット１２２に一体的に設けられたセンサユニット１２１を有している。センサユニット１２１は、シートの先端及び後端を検知する先後端検知センサ１２１ａと、奥行き方向におけるシートの下流端を検知する横レジセンサ１２１ｂ〜１２１ｅとから構成される。穿孔処理では、横レジセンサ１２１ｂ〜１２１ｅのうちシートを検知したセンサに基づいてシートサイズが検知され、そのシートサイズに応じてパンチユニット１２２が初期位置から手前方向にスライド移動される。そして、穿孔処理では、先後端検知センサ１２１ａによってシートが検知されたタイミングに基づいて、シートの搬送停止、シートに対する穿設及びシートの搬送開始が行われる。シートに対する穿設が実行された後、パンチユニット１２２は、横レジホームセンサ１２４により初期位置が検知されるまで奥行き方向に移動される。
【００２０】
シート搬送方向における穿孔処理部１２０の下流には、図３に示すように、シートの搬送先を処理部１３０に繋がる搬送パスＰ１と折り処理部１４０に繋がる搬送パスＰ２との間で切り換えると共にシートを案内する案内部材１２６が設けられている。案内部材１２６は、揺動可能に設けられており、揺動することによりシートの搬送先を切り換える。
【００２１】
処理部１３０は、搬送パスＰ１から搬送されたシートを複数枚重ねて溜めることが可能なバッファユニット１３１と、バッファユニット１３１から搬送されたシートが積載されると共に整合処理される処理トレイ１３３とを有している。バッファユニット１３１から搬送されるシートは、シート搬送方向におけるバッファユニット１３１の下流に配置された中間搬送ローラ対１３２によって排出ローラ対１３４に搬送され、排出ローラ対１３４の所定量の正回転よって一旦下流に搬送される。そして、シートは、排出ローラ対１３４の逆回転によってバッファユニット１３１の下方に配置された処理トレイ１３３に搬送されると共に整合処理される。
【００２２】
処理トレイ１３３上に積載されたシート束は、ステイプル処理が不要な場合には排出ローラ対１３４によって排出口１３６から排出トレイ１３７に排出される。ステイプル処理が必要な場合には、処理トレイ１３３上に積載されたシート束は、第１ステイプラ１３５によってステイプル処理された後に、排出トレイ１３７に排出される。
【００２３】
排出トレイ１３７は、排出口１３６から排出されたシートを積載可能な上トレイ１３７ａ及び下トレイ１３７ｂと、上トレイ１３７ａを昇降させる上トレイモータ１３８ａと、下トレイ１３７ｂを昇降させる下トレイモータ１３８ｂとを有している。上トレイ１３７ａ及び下トレイ１３７ｂは、積載されるシートが増加するに従って下降し、積載したシートで排出口１３６を塞ぐことを防ぐ。
【００２４】
折り処理部１４０は、搬送パスＰ２から搬送されたシートを収納する収納ガイド１４１と、収納ガイド１４１に収納されたシートのシート搬送方向における下流端に当接してシートを位置決めする位置決め部材１４２とを有する。収納ガイド１４１は、搬送パスＰ２の下方に配置され、シートを略垂直方向に収納可能に構成されている。位置決め部材１４２は、昇降可能に設けられており、収納ガイド１４１に収納されたシートを下端から支持しつつ昇降可能となっている。搬送パスＰ２から搬送されるシートは、位置決め部材１４２に突き当てられ、収納ガイド１４１に順次収納された後に、略上下方向における中央部分が第２ステイプラ１４３によって綴じられる。
【００２５】
また、折り処理部１４０は、第２ステイプラ１４３によって綴じられたシート束を、略上下方向におけるシート束の中央部分で折る折り装置１４４を有する。折り装置１４４は、収納ガイド１４１に収納されたシート束の面に対して略直交する方向に移動可能な突き出し部材１４４ａと、収納ガイド１４１を挟んで突き出し部材１４４ａの反対に配置された折ローラ対１４４ｂとから構成される。突き出し部材１４４ａは、収納ガイド１４１に形成された切欠き部１４１ａを通過可能な位置に配置され、折ローラ対１４４ｂは、突き出し部材１４４ａの移動方向における延長上に折ローラ対１４４ｂのニップ部が位置するように配置されている。
【００２６】
第２ステイプラ１４３によって綴じられたシート束は、位置決め部材１４２が下降することにより共に下降する。シート束は、略上下方向におけるシート束の中央部分、すなわち第２ステイプラ１４３によって綴じられた位置を突き出し部材１４４ａが押圧可能な高さまで下降した後に、突き出し部材１４４ａによって折ローラ対１４４ｂのニップ部に向かって押圧される。シート束は、綴じられた位置から切欠き部１４１ａに押し込まれ、折ローラ対１４４ｂのニップ部まで突き出される。さらに、シート束は、折ローラ対１４４ｂによって、綴じられた位置から折り曲げられて冊子状に折り込まれると共に、搬送ローラ対１４５に搬送される。折り装置１４４により折り込まれて製本された冊子は、搬送ローラ対１４５により小口トリマ１６０が有する下ベルトコンベア１６１ａに搬送される。
【００２７】
［小口トリマの詳細な構成］
小口トリマ１６０は、図５に示すように、フィニッシャ１１０から搬送された冊子を搬送する搬送ベルトコンベア対１６１，１６６，１６７を有する。図５（ａ）は、小口トリマ１６０の概略を示す正面図であり、（ｂ）は、小口トリマ１６０の平面図である。搬送ベルトコンベア対１６１は、冊子を下面から支持可能な下ベルトコンベア１６１ａと、下ベルトコンベア１６１ａの上面に当接し、下ベルトコンベア１６１ａと共に挟みこんで冊子を搬送可能な上ベルトコンベア１６１ｂとを有する。上ベルトコンベア１６１ｂは、シート搬送方向において下ベルトコンベア１６１ａより短く、下ベルトコンベア１６１ａの上面のうちシート搬送方向における所定位置から下流端まで当接するように配置されている。シート幅方向における搬送ベルトコンベア対１６１の外側には、シート幅方向である矢印Ｒ２方向に移動可能であり、シート幅方向の両端から冊子を挟みこむことにより、冊子の位置をシート幅方向における中心に補正する整合部材１６８が配置されている。
【００２８】
搬送ベルトコンベア対１６６は、シート搬送方向における上流端から下流端まで互いに当接する下ベルトコンベア１６６ａ及び上ベルトコンベア１６６ｂを有している。搬送ベルトコンベア対１６７は、搬送ベルトコンベア対１６６と略同様に下ベルトコンベア１６７ａ及び上ベルトコンベア１６７ｂを有している。
【００２９】
小口トリマ１６０は、シート搬送方向における搬送ベルトコンベア対１６１と搬送ベルトコンベア対１６６との間において、冊子の小口を裁断する小口裁断部１６２を有する。また、小口トリマ１６０は、シート搬送方向における小口裁断部１６２の下流において、冊子を検知する検知センサ１６４と、搬送ベルトコンベア対１６１，１６６によって搬送される冊子の背に当接可能な小口ストッパ１６５とを有している。
【００３０】
小口ストッパ１６５は、シート幅方向における搬送ベルトコンベア対１６６の外側に配置されている。小口ストッパ１６５は、上端部が上ベルトコンベア１６６ｂの下面より上方に突出した当接位置と、上端部が下ベルトコンベア１６６ａの上面より下方に位置する解除位置との間で略上下方向に移動可能である。小口ストッパ１６５は、当接位置において冊子の背に当接することにより、冊子の小口を小口裁断部１６２による裁断位置に合わせるように冊子を位置決めし、小口裁断部１６２による裁断後に解除位置に移動する。また、小口ストッパ１６５は、シート搬送方向に沿った矢印Ｒ３方向にも移動可能に構成されており、シートサイズに応じて、小口ストッパ１６５に当接する冊子の小口が裁断位置に合うように移動する。すなわち、小口ストッパ１６５は、シートサイズに応じて当接位置を調整可能に構成されている。
【００３１】
小口裁断部１６２は、小口裁断下刃１６２ｂと略上下方向である矢印Ｒ１方向に移動可能な小口裁断上刃１６２ａとを有している。小口トリマ１６０に搬送された冊子は、当接位置に位置する小口ストッパ１６５に当接する位置まで搬送され、検知センサ１６４による冊子の検知によって、搬送ベルトコンベア対１６１，１６６による搬送が停止される。その状態で小口裁断上刃１６２ａが下降することにより、冊子の小口は裁断される。裁断された切り屑は、小口裁断部１６２の下方に配置された小口屑箱１６３に落下し回収される。小口が裁断された冊子は、小口ストッパ１６５が当接位置から解放位置に移動されると共に搬送ベルトコンベア対１６１，１６６による搬送が再開されることにより、天地トリマ１８０に搬送される。なお、小口の裁断処理が行われない場合には、小口ストッパ１６５は冊子の搬送を妨げないように解放位置で保持される。
【００３２】
［天地トリマの詳細な構成］
天地トリマ１８０は、図６に示すように、搬送ベルトコンベア対１８１と、シート幅方向における搬送ベルトコンベア対１８１の外側に配置された検知センサ１８４及び天地ストッパ１８９とを有する。図６（ａ）は、天地トリマ１８０の概略を示す正面図であり、（ｂ）は、天地トリマ１８０の平面図である。搬送ベルトコンベア対１８１は、シート搬送方向における上流端から下流端まで互いに当接する下ベルトコンベア１８１ａ及び上ベルトコンベア１８１ｂを有している。また、天地ストッパ１８９は、略上下方向に移動可能に設けられており、上端部が上ベルトコンベア１８１ｂの下面より上方に突出した当接位置と、上端部が下ベルトコンベア１８１ａの上面より下方に位置する解除位置との間で移動可能である。
【００３３】
天地トリマ１８０は、奥行き方向における搬送ベルトコンベア対１８１、検知センサ１８４及び天地ストッパ１８９の上流において、冊子の地を裁断する地裁断部１８２を有する。地裁断部１８２は、シート幅方向である矢印Ｒ４方向に移動可能に設けられており、地裁断下刃１８２ｂと略上下方向に移動可能な地裁断上刃１８２ａとを有している。また、天地トリマ１８０は、奥行き方向における搬送ベルトコンベア対１８１、検知センサ１８４及び天地ストッパ１８９の下流において、冊子の天を裁断する天裁断部１８３を有する。天裁断部１８３は、地裁断部１８２と略同様に、矢印Ｒ４方向に移動可能に設けられており、天裁断下刃１８３ｂ及び天裁断上刃１８３ａを有している。
【００３４】
天地トリマ１８０に搬送された冊子は、当接位置に位置する天地ストッパ１８９に当接する位置まで搬送され、検知センサ１８４による冊子の検知によって、搬送ベルトコンベア対１８１による搬送が停止される。その状態で地裁断上刃１８２ａ及び天裁断上刃１８３ａが下降することにより、冊子の天地は裁断される。裁断された切り屑は、搬送ベルトコンベア対１８１の下方に配置された傾斜面１８５に落下し、傾斜面１８５をつたって天地トリマ１８０のカバー１８０ａ外側に設けられた天地屑箱１８６に回収される。天地が裁断された冊子は、天地ストッパ１８９が当接位置から解放位置に移動されると共に搬送ベルトコンベア対１８１による搬送が再開されることにより、積載トレイ１８８に排出される。積載トレイ１８８に排出された冊子は、積載トレイ１８８の上方に配置された搬送大ローラ１８７により、積載トレイ１８８上でさらに下流に搬送され、搬送ベルトコンベア対１８１の排出口で滞留することが防止される。なお、天地の裁断処理が行われない場合には、天地ストッパ１８９は冊子の搬送を妨げないように解放位置で保持される。
【００３５】
［制御システムの詳細］
図７は、画像形成システム１に搭載された制御部である制御システム３００を示すブロック図である。制御システム３００は、図７に示すように、プリンタ１０に搭載され、プリンタ１０を制御するプリンタ制御部３１０を有している。プリンタ制御部３１０は、プリンタ１０全体の基本制御を行うＣＰＵ３１２と、ＲＯＭ３１３及びＲＡＭ３１５とを有するメイン制御部３１１を有している。ＲＯＭ３１３は、システム起動に必要なブートプログラム等を記憶し、揮発性メモリであるＲＡＭ３１５は、制御プログラムを実行する際のワークエリアとして使用される。
【００３６】
プリンタ制御部３１０は、画像読取装置６０を制御する画像読取装置制御部３２５を有する。また、プリンタ制御部３１０は、画像読取装置６０に読み取られた光学的信号と、不図示のパソコンから入力されたジョブ情報に含まれる画像情報とを、レーザスキャナユニット４２を制御するための画像信号に変換する画像信号制御部３３０を有する。さらに、プリンタ制御部３１０は、シート給送部３０を制御するシート給送制御部３２０と、画像形成部４０を制御する画像形成制御部３３５とを有する。シート給送制御部３２０、画像読取装置制御部３２５、画像信号制御部３３０及び画像形成制御部３３５は、それぞれメイン制御部３１１に接続されている。
【００３７】
メイン制御部３１１には、フィニッシャ１１０に搭載され、フィニッシャ１１０を制御するフィニッシャ制御部３５０が接続されている。フィニッシャ制御部３５０には、小口トリマ１６０に搭載され、小口トリマ１６０を制御する小口トリマ制御部３７０が接続されている。小口トリマ制御部３７０には、フィニッシャ制御部３５０を介して、メイン制御部３１１からの情報が入力される。また、小口トリマ制御部３７０には、天地トリマ１８０に搭載され、天地トリマ１８０を制御する天地トリマ制御部３８０が接続されている。従って、天地トリマ制御部３８０には、フィニッシャ制御部３５０及び小口トリマ制御部３７０を介して、メイン制御部３１１からの情報が入力される。メイン制御部３１１は、冊子を作成する場合に、不図示のパソコンから入力されたジョブ情報に基づいて制御システム３００の各制御部を制御し、画像形成システム１全体の基本制御を行う。なお、本実施形態において、入力されるジョブ情報には、シートサイズ等のシート情報、シートに形成する画像情報及び余白幅であるシート余白幅が少なくとも含まれている。
【００３８】
メイン制御部３１１には、タッチパネル７０に搭載され、タッチパネル７０を制御する操作表示装置制御部３４０が接続されている。操作表示装置制御部３４０は、メイン制御部３１１からの信号に基づいて、タッチパネル７０に画像形成システム１に関する情報を表示する。また、操作表示装置制御部３４０は、ユーザによりタッチパネル７０に入力された情報をメイン制御部３１１に送信する。
【００３９】
メイン制御部３１１は、操作表示装置制御部３４０を介してタッチパネル７０を制御し、実行するジョブごとに穿孔処理、整合処理、ステイプル処理及び製本処理の少なくとも１つのシート処理の実行をユーザに選択させる。また、製本処理の実行が選択された場合に、メイン制御部３１１は、タッチパネル７０において、製本された冊子に対して、小口の裁断処理及び天地の裁断処理を実行するか否かをユーザに選択させる。天地の裁断処理の実行が選択された場合に、メイン制御部３１１は、天地の裁断処理設定に係る制御処理を実行し、図８に示す第１裁断幅である天の裁断幅及び第２裁断幅である地の裁断幅を設定する。図８は、冊子に含まれるシートにおける天の裁断幅、地の裁断幅及びシート余白幅を説明する図である。
【００４０】
また、メイン制御部３１１は、天地の裁断処理設定に係る制御処理において、積載トレイ１８８に冊子が排出される際に、冊子の位置をシート幅方向におけるシート搬送路の中心からシフトさせるシフト処理を実行するか否かを決定する。メイン制御部３１１は、シフト処理において、シートに形成する画像の位置及び天地の裁断位置をシート幅方向においてシフトさせることにより、積載トレイ１８８に冊子が排出される際の冊子位置をシフトさせる。
【００４１】
さら、シフト処理の実行を決定した場合に、メイン制御部３１１は、シフト処理においてユーザ設定モード及びシフト最大モードのどちらを実行するかを決定する。ユーザ設定モードでは、メイン制御部３１１はユーザが入力した裁断可能領域幅に基づいて、冊子をシフトさせるシフト幅を設定する。また、シフト最大モードでは、メイン制御部３１１はシフト幅が最大となるようにシフト幅を設定する。メイン制御部３１１は、入力されたジョブ情報と共に実行を決定したシート処理情報に基づいて、制御システム３００内の各制御部を制御する。
【００４２】
フィニッシャ制御部３５０は、図９に示すように、フィニッシャ１１０全体の基本制御を行うＣＰＵ３５２と、ＲＯＭ３５３及びＲＡＭ３５４とを有するメイン制御部３５１を有している。メイン制御部３５１は、プリンタ制御部３１０のメイン制御部３１１と通信を行い、プリンタ１０とフィニッシャ１１０とを連携動作させるための各種信号、実行するシート処理情報及びシート情報の授受を行う。
【００４３】
フィニッシャ制御部３５０は、フィニッシャ１１０内の搬送ローラを駆動させる搬送モータ１５０を制御するシート搬送制御部３５５と、上トレイモータ１３８ａ及び下トレイモータ１３８ｂを制御するトレイ制御部３５６とを有している。また、フィニッシャ制御部３５０は、第１ステイプラ１３５及び第２ステイプラ１４３を制御するステイプル制御部３５７と、折り装置１４４を制御する折り制御部３５８とを有している。さらに、フィニッシャ制御部３５０は、横レジホームセンサ１２４及びセンサユニット１２１からの信号に基づいて、横レジモータ１２３と、パンチユニット１２２を昇降させて穿設するパンチモータ１２２ｄとを制御するパンチ制御部３５９を有している。シート搬送制御部３５５、トレイ制御部３５６、ステイプル制御部３５７、折り制御部３５８及びパンチ制御部３５９は、メイン制御部３５１に接続されており、メイン制御部３５１の信号に基づいて制御処理を実行する。
【００４４】
小口トリマ制御部３７０は、図１０に示すように、小口トリマ１６０全体の基本制御を行うＣＰＵ３７２と、ＲＯＭ３７３及びＲＡＭ３７４とを有するメイン制御部３７１を有している。メイン制御部３７１は、フィニッシャ１１０のメイン制御部３５１と通信を行い、フィニッシャ１１０と小口トリマ１６０とを連携動作させるための各種信号、シート処理情報、シート情報の授受を行う。
【００４５】
小口トリマ制御部３７０は、検知センサ１６４に基づいて搬送ベルトコンベア対１６１，１６６，１６７を駆動させる搬送モータ１７０と、小口ストッパ１６５を移動させるストッパモータ１６５ａとを制御するシート搬送制御部３７５を有している。また、小口トリマ制御部３７０は、小口裁断上刃１６２ａを昇降させる裁断モータ１６２ｃを制御するシート裁断制御部３７６を有している。シート搬送制御部３７５及びシート裁断制御部３７６は、メイン制御部３７１に接続されており、メイン制御部３７１の信号に基づいて制御処理を実行する。
【００４６】
天地トリマ制御部３８０は、図１１に示すように、天地トリマ１８０全体の基本制御を行うＣＰＵ３８２と、ＲＯＭ３８３及びＲＡＭ３８４とを有するメイン制御部３８１を有している。メイン制御部３８１は、小口トリマ１６０のメイン制御部３７１と通信を行い、小口トリマ１６０と天地トリマ１８０とを連携動作させるための各種信号、シート処理情報及びシート情報の授受を行う。
【００４７】
天地トリマ制御部３８０は、検知センサ１８４に基づいて搬送ベルトコンベア対１８１を駆動させる搬送モータ１９０と、天地ストッパ１８９を移動させるストッパモータ１８９ａとを制御するシート搬送制御部３８５を有している。また、天地トリマ制御部３８０は、地裁断上刃１８２ａ及び天裁断上刃１８３ａを昇降させる裁断モータ１９１を制御するシート裁断制御部３８６を有している。シート裁断制御部３８６は、裁断モータ１９１と共に、地裁断部１８２を矢印Ｒ４方向に移動させる地裁断部移動モータ１８２ｃと、天裁断部１８３を矢印Ｒ４方向に移動させる天裁断部移動モータ１８３ｃとを制御する。シート搬送制御部３８５及びシート裁断制御部３８６は、メイン制御部３８１に接続されており、メイン制御部３８１の信号に基づいて制御処理を実行する。
【００４８】
［天地の裁断処理設定の詳細］
ここで、天地の裁断処理設定に係る制御処理の詳細について、図１２を参照しながら説明する。図１２は、ユーザにより天地の裁断処理の実行が選択された場合に実行される天地の裁断処理設定に係る制御処理を示すフローチャートである。なお、本実施形態では、ジョブ情報に含まれるシート幅が２９０ｍｍに設定され、シート余白幅が１５ｍｍに設定されているものとして説明する。
【００４９】
天地の裁断処理設定に係る制御処理として、制御システム３００は、まずタッチパネル７０において裁断可能領域幅をユーザに指定させる（ステップＳ１）。ステップＳ１において、制御システム３００は、タッチパネル７０において、ユーザに対して裁断可能領域幅の入力を報知し、入力された裁断可能領域幅をＲＡＭ３１５に記憶させる。
【００５０】
ステップＳ１を実行した後に、制御システム３００は、裁断可能領域幅が裁断可能な最小の裁断幅である最小幅以上であるか否かを判定する（ステップＳ２）。裁断可能領域幅が天地トリマ１８０により最小幅より大きいと判定した場合に（ステップＳ２：ＹＥＳ）、制御システム３００は、裁断可能領域幅が最小幅より小さいことを報知する警告をタッチパネル７０に表示する（ステップＳ３）。ステップＳ３を実行した後に、制御システム３００は、再びステップＳ１を実行し、ユーザに裁断可能領域幅を再入力させる。
【００５１】
裁断可能領域幅が最小幅以下であると判定した場合に（ステップＳ２：ＮＯ）、制御システム３００は、タッチパネル７０において、シフト処理を実行するか否かをユーザに選択させる（ステップＳ４）。ステップＳ４において、制御システム３００は、ユーザに対してシフト処理を実行するか否かを選択することをタッチパネル７０において報知し、ユーザにより選択された結果をＲＡＭ３１５に記憶させる。なお、本実施形態では、最小幅が２ｍｍに設定され、裁断可能領域幅がユーザにより７ｍｍに指定されたものとして、以降の制御処理を説明する。
【００５２】
ステップＳ４を実行した後に、制御システム３００は、現在天地の裁断処理設定中であるジョブに対してシフト処理の実行が選択されたか否かを判定する（ステップＳ５）。シフト処理を実行しないと選択されたと判定した場合に（ステップＳ５：ＮＯ）、制御システム３００は、天の裁断幅を裁断可能領域幅に設定する（ステップＳ６）。さらに、制御システム３００は、地の裁断幅を裁断可能領域幅に設定し（ステップＳ７）、天地の裁断処理設定に係る制御処理を終了する。その後、制御システム３００は、天地の裁断処理設定に係る制御処理による設定に基づいて、画像形成及び天地の裁断処理を実行する。この場合には、制御システム３００は、画像のシート幅方向における中心が、シートのシート幅方向における中心に一致するように、シートに対して画像を形成する。そして、制御システム３００は、そのシートによって製本された冊子において、天地それぞれを７ｍｍ裁断する。
【００５３】
また、ステップＳ５においてシフト処理の実行が選択されたと判定した場合に（ステップＳ５：ＹＥＳ）、制御システム３００は、タッチパネル７０において、シフト最大モードを実行するか否かをユーザに選択させる（ステップＳ８）。ステップＳ８において、制御システム３００は、ユーザに対してシフト最大モードを実行するか否かを選択することをタッチパネル７０において報知し、ユーザにより選択された結果をＲＡＭ３１５に記憶させる。
【００５４】
ステップＳ８を実行した後に、制御システム３００は、現在天地の裁断処理設定中であるジョブに対してシフト最大モードの実行が選択されたか否かを判定する（ステップＳ９）。シフト最大モードを実行しないと選択されたと判定した場合に（ステップＳ９：ＮＯ）、制御システム３００は、ユーザ設定モードの実行を決定する。そして、制御システム３００は、ユーザ設定モードに基づいて、シートに形成する画像の位置をシフトさせるシフト幅を以下の数式（１）によって設定する（ステップＳ１０）。
画像のシフト幅＝裁断可能領域幅―最小幅・・・（１）
【００５５】
本実施形態において裁断可能領域幅が７ｍｍであり、最小幅が２ｍｍに設定されているので、制御システム３００は、ステップＳ１０において画像のシフト幅を５ｍｍに設定する。ステップＳ１０を実行した後に、制御システム３００は、現在天地の裁断処理設定中であるジョブが画像形成システム１の電源がオンになってから奇数番目のジョブであるか否かを判定する（ステップＳ１１）。
【００５６】
現在天地の裁断処理設定中であるジョブが奇数番目のジョブであると判定した場合に（ステップＳ１１：ＹＥＳ）、制御システム３００は、積載トレイ１８８に排出される冊子の位置を奥行き方向にシフトさせる第１シフト制御の実行を決定する。制御システム３００は、第１シフト制御の実行決定に基づいて、画像のシフト方向を天側である奥行き方向に設定する（ステップＳ１２）。そして、制御システム３００は、天の裁断幅及び地の裁断幅を以下の数式（２）に基づいて設定する（ステップＳ１３，Ｓ１４）。
天の裁断幅＝最小幅
地の裁断幅＝画像のシフト幅＋裁断可能領域幅・・・（２）
【００５７】
制御システム３００は、ステップＳ１４を実行し、天地の裁断処理設定に係る制御処理を終了した後に、天地の裁断処理設定に基づいて、画像形成及び天地の裁断処理を実行する。この場合に、制御システム３００は、図１３（ａ）に示すように画像をシート幅方向における中心から奥行き方向に５ｍｍシフトさせて画像を形成する。すなわち、制御システム３００は、ユーザ設定モードの第１シフト制御において、画像のシート幅方向における中心Ｃ１がシートのシート幅方向における中心Ｃに対して天側に位置するように画像を形成する画像形成処理を行う。図１３は、ユーザ設定モードにおける画像のシフト幅及び天地の裁断幅を示す図であり、（ａ）は奇数番目のジョブにおける冊子を示し、（ｂ）は偶数番目のジョブにおける冊子を示す。
【００５８】
そして、制御システム３００は、その画像が形成されたシートによって製本された冊子において、地を１２ｍｍ裁断し、天を２ｍｍ裁断する。すなわち、制御システム３００は、ユーザ設定モードの第１シフト制御において、画像形成処理を行った後に折り込み処理を行い、その後、地の裁断幅が天の裁断幅よりも大きくなるように天地の裁断処理を行う。画像形成処理における画像のシート幅方向における中心Ｃ１とシートのシート幅方向における中心Ｃとの距離は、天地の裁断処理における地の裁断幅と天の裁断幅との差の半分に設定される。これにより、天地の裁断処理後の冊子は、図１４（ａ）に示すように、シート幅方向におけるシートの中心Ｃから奥行き方向に５ｍｍシフトした位置で積載トレイ１８８に排出される。図１４は、ユーザ設定モードにおいて積載トレイ１８８に排出された冊子の位置を示す図であり、（ａ）は奇数番目のジョブにおける冊子を示し、（ｂ）は偶数番目のジョブにおける冊子を示す。
【００５９】
また、ステップＳ１１において、現在天地の裁断処理設定中であるジョブが偶数番目のジョブであると判定した場合に（ステップＳ１１：ＮＯ）、制御システム３００は、積載トレイ１８８に排出される冊子の位置を手前方向にシフトさせる第２シフト制御の実行を決定する。制御システム３００は、第２シフト制御の実行決定に基づいて、画像のシフト方向を地側である手前方向に設定する（ステップＳ１５）。そして、制御システム３００は、天の裁断幅及び地の裁断幅を以下の数式（３）に基づいて設定する（ステップＳ１６，Ｓ１７）。
天の裁断幅＝画像のシフト幅＋裁断可能領域幅
地の裁断幅＝最小幅・・・（３）
【００６０】
制御システム３００は、ステップＳ１７を実行し、天地の裁断処理設定に係る制御処理を終了した後に、天地の裁断処理設定に基づいて、画像形成及び天地の裁断処理を実行する。この場合に、制御システム３００は、図１３（ｂ）に示すように画像をシート幅方向における中心から手前方向に５ｍｍシフトさせて画像を形成する。すなわち、制御システム３００は、ユーザ設定モードの第２シフト制御において、画像のシート幅方向における中心Ｃ２がシートのシート幅方向における中心Ｃに対して地側に位置するように画像を形成する画像形成処理を行う。
【００６１】
そして、制御システム３００は、その画像が形成されたシートによって製本された冊子において、天を１２ｍｍ裁断し、地を２ｍｍ裁断する。すなわち、制御システム３００は、ユーザ設定モードの第２シフト制御において、画像形成処理を行った後に折り込み処理を行い、その後、天の裁断幅が地の裁断幅よりも大きくなるように天地の裁断処理を行う。画像形成処理における画像のシート幅方向における中心Ｃ２とシートのシート幅方向における中心Ｃとの距離は、天地の裁断処理における天の裁断幅と地の裁断幅との差の半分である。これにより、天地の裁断処理後の冊子は、図１４（ｂ）に示すように、シート幅方向における中心Ｃから奥行き方向に５ｍｍシフトした位置で積載トレイ１８８に排出される。
【００６２】
ステップＳ９においてシフト最大モードの実行が選択されたと判定した場合に（ステップＳ９：ＹＥＳ）、制御システム３００は、ユーザに対して、シフト最大モードが選択されたことをタッチパネル７０において報知する（ステップＳ１８）。また、ステップＳ１８において、制御システム３００は、タッチパネル７０において、裁断可能領域幅で裁断処理が行われないことを通知した上で、シフト最大モードの実行を取り消すか否かをユーザに選択させる。
【００６３】
ステップＳ１８を実行した後に、制御システム３００は、シフト最大モードの実行取り消しが選択されたか否かを判定する（ステップＳ１９）。シフト最大モードの実行取り消しが選択されたと判定した場合に（ステップＳ１９：ＹＥＳ）、制御システム３００は、再びステップＳ８を実行する。シフト最大モードの実行取り消しが選択されなかったと判定した場合に（ステップＳ１９：ＮＯ）、制御システム３００は、シフト最大モードを実行することを決定する。そして、制御システム３００は、シフト最大モードに基づいて、画像のシフト幅を以下の数式（４）によって設定する（ステップＳ２０）。
画像のシフト幅＝シート余白幅―最小幅・・・（４）
【００６４】
本実施形態においてシート余白幅が１５ｍｍに設定され、最小幅が２ｍｍに設定されているので、制御システム３００は、ステップＳ２０において画像のシフト幅を１３ｍｍに設定する。ステップＳ２０を実行した後に、制御システム３００は、現在天地の裁断処理設定中であるジョブが画像形成システム１の電源がオンになってから奇数番目のジョブであるか否かを判定する（ステップＳ２１）。
【００６５】
現在天地の裁断処理設定中であるジョブが奇数番目のジョブであると判定した場合に（ステップＳ２１：ＹＥＳ）、制御システム３００は、シフト最大モードにおいて第１シフト制御を実行することを決定する。制御システム３００は、第１シフト制御の実行決定に基づいて、画像のシフト方向を奥行き方向に設定する（ステップＳ２２）。そして、制御システム３００は、天の裁断幅及び地の裁断幅を以下の数式（５）に基づいて設定する（ステップＳ２３，Ｓ２４）。
天の裁断幅＝最小幅
地の裁断幅＝画像のシフト幅＋シート余白幅・・・（５）
【００６６】
制御システム３００は、ステップＳ２４を実行し、天地の裁断処理設定に係る制御処理を終了した後に、天地の裁断処理設定に基づいて、画像形成及び天地の裁断処理を実行する。この場合に、制御システム３００は、図１５（ａ）に示すように画像をシート幅方向における中心から奥行き方向に１３ｍｍシフトさせて画像を形成する。すなわち、制御システム３００は、シフト最大モードの第１シフト制御において、画像のシート幅方向における中心Ｃ３がシートのシート幅方向における中心Ｃに対して天側に位置するように画像を形成する画像形成処理を行う。図１５は、シフト最大モードにおける画像のシフト幅及び天地の裁断幅を示す図であり、（ａ）は奇数番目のジョブにおける冊子を示し、（ｂ）は偶数番目のジョブにおける冊子を示す。
【００６７】
そして、制御システム３００は、その画像が形成されたシートによって製本された冊子において、地を２８ｍｍ裁断し、天を２ｍｍ裁断する。すなわち、制御システム３００は、ユーザ設定モードの第１シフト制御において、画像形成処理を行った後に折り込み処理を行い、その後、地の裁断幅が天の裁断幅よりも大きくなるように天地の裁断処理を行う。画像形成処理における画像のシート幅方向における中心Ｃ３とシートのシート幅方向における中心Ｃとの距離は、天地の裁断処理における地の裁断幅と天の裁断幅との差の半分である。これにより、天地の裁断処理後の冊子は、図１６（ａ）に示すように、シート幅方向における中心Ｃから奥行き方向に１３ｍｍシフトした位置で積載トレイ１８８に排出される。図１６は、シフト最大モードにおいて積載トレイ１８８に排出された冊子の位置を示す図であり、（ａ）は奇数番目のジョブにおける冊子を示し、（ｂ）は偶数番目のジョブにおける冊子を示す。
【００６８】
また、ステップＳ２１において、現在天地の裁断処理設定中であるジョブが偶数番目のジョブであると判定した場合に（ステップＳ２１：ＮＯ）、制御システム３００は、シフト最大モードにおいて第２シフト制御の実行を決定する。制御システム３００は、第２シフト制御の実行決定に基づいて、画像のシフト方向を手前方向に設定する（ステップＳ２５）。そして、制御システム３００は、天の裁断幅及び地の裁断幅を以下の数式（６）に基づいて設定する（ステップＳ２６，Ｓ２７）。
天の裁断幅＝画像のシフト幅＋シート余白幅
地の裁断幅＝最小幅・・・（６）
【００６９】
制御システム３００は、ステップＳ２７を実行し、天地の裁断処理設定に係る制御処理を終了した後に、天地の裁断処理設定に基づいて、画像形成及び天地の裁断処理を実行する。この場合に、制御システム３００は、図１５（ｂ）に示すように画像をシート幅方向における中心から手前方向に１３ｍｍシフトさせて画像を形成する。すなわち、制御システム３００は、シフト最大モードの第２シフト制御において、画像のシート幅方向における中心Ｃ４がシートのシート幅方向における中心Ｃに対して地側に位置するように画像を形成する画像形成処理を行う。
【００７０】
そして、制御システム３００は、その画像が形成されたシートによって製本された冊子において、天を２８ｍｍ裁断し、地を２ｍｍ裁断する。すなわち、制御システム３００は、シフト最大モードの第２シフト制御において、画像形成処理を行った後に折り込み処理を行い、その後、天の裁断幅が地の裁断幅よりも大きくなるように天地の裁断処理を行う。画像形成処理における画像のシート幅方向における中心Ｃ４とシートのシート幅方向における中心Ｃとの距離は、天地の裁断処理における天の裁断幅と地の裁断幅との差の半分である。これにより、天地の裁断処理後の冊子は、図１６（ｂ）に示すように、シート幅方向における中心から手前方向に１３ｍｍシフトした位置で積載トレイ１８８に排出される。
【００７１】
このように、画像形成システム１では、第１シフト制御を実行することにより、製本された冊子を仕分けする専用の機構を設けることなく、積載トレイ１８８に排出される冊子の位置をシート幅方向における中心Ｃから天側にシフトさせることができる。従って、画像形成システム１は、コストの増加を防ぎつつ、連続して積載トレイ１８８に排出される複数の冊子を仕分けすることができる。また、画像形成システム１は、ユーザが排出された複数の冊子から所望の冊子を取る際に、その冊子と共に誤って異なる冊子を取ってしまうことを防ぐことができる。
【００７２】
また、画像形成システム１は、第１シフト制御において、画像のシフト幅を地の裁断幅と天の裁断幅との差の半分に設定するので、形成された画像のシート幅方向における中心を、排出された冊子のシート幅方向における中心に合わせることができる。これにより、画像形成システム１は、冊子に形成された画像が天地トリマ１８０による裁断処理により欠けることなく、積載トレイ１８８に排出される冊子の位置をシート幅方向における中心Ｃから天側にシフトさせることができる。
【００７３】
また、画像形成システム１は、第２シフト制御において、積載トレイ１８８に排出される冊子の位置をシート幅方向における中心Ｃから地側にシフトさせることができる。従って、画像形成システム１は、排出する冊子に応じて第１シフト制御と第２シフト制御とを切り換えることにより、冊子間において排出位置を大きく変化させることができ、仕分けされた冊子間の境界を際立たせることができる。また、画像形成システム１では、排出された冊子がユーザに対してさらに識別し易くなる。
【００７４】
また、画像形成システム１は、ユーザ設定モードを実行することにより、ユーザが設定した裁断可能領域幅に基づいて天地の裁断幅を設定するので、ユーザの所望するシート幅と異なるシート幅で冊子が作成されることを防ぎつつ、排出される冊子を仕分けすることができる。
【００７５】
また、画像形成システム１は、シフト最大モードを実行することにより、ユーザ設定モードを実行した場合より排出される冊子のシート幅方向における位置を大きくシフトさせることできる。これにより、画像形成システム１は、冊子間において排出位置を大きく変化させることができ、仕分けされた冊子間の境界を際立たせることができると共に、排出された冊子がユーザに対してさらに識別し易くなる。
【００７６】
また、画像形成システム１は、ジョブごとに第１シフト制御と第２シフト制御とを切り換えて実行するので、複数の冊子をジョブごとに仕分けすることができる。これにより、画像形成システム１は、ユーザが排出された複数の冊子から所望のジョブによる冊子を取る際に、その冊子と共に誤って異なるジョブによる冊子を取ってしまうことを防ぐことができる。
【００７７】
なお、本実施形態の画像形成システム１は、第１シフト制御において排出される冊子のシート幅方向における位置を奥行き方向にシフトするように構成されているが、これに限らない。画像形成システム１は、第１シフト制御において排出される冊子のシート幅方向における位置を手前方向にシフトし、第２シフト制御において排出される冊子のシート幅方向における位置を奥行き方向にシフトするように構成されていてもよい。
【００７８】
また、本実施形態の画像形成システム１は、第１シフト制御及び第２シフト制御を実行可能に構成されているが、これに限らず、第１シフト制御及び第２シフト制御のどちらか一方のみを実行可能に構成されていてもよい。第１シフト制御のみを実行可能に構成されている場合に、画像形成システム１は、一方の冊子をシフトさせずに積載トレイ１８８に排出し、他方の冊子を奥行き方向にシフトさせることにより、排出される複数の冊子を仕分けすることができる。
【００７９】
また、本実施形態の画像形成システム１は、シフト最大モード及びユーザ設定モードを実行可能に構成されているが、これに限らず、シフト最大モード及びユーザ設定モードのどちらか一方のみを実行可能に構成されていてもよい。
【００８０】
また、本実施形態の画像形成システム１は、図１２のステップＳ１において天地の裁断可能領域幅を設定するように構成されているが、これに限らず、裁断可能領域幅を天地別々に設定するように構成されていてもよい。この場合に、画像形成システム１は、ステップＳ１０，１３，１６において、天地共通に設定される裁断可能領域幅の代わりに、天の裁断可能領域幅及び地の裁断可能領域幅の平均を用いて画像のシフト量及び天地の裁断幅を設定するように構成されていてもよい。
【００８１】
また、画像形成システム１は、ジョブごとに第１シフト制御と第２シフト制御とを切り換えて実行するように構成されているが、これに限らず、冊子１部ごと又は冊子の大きさごとに冊子を排出する位置をシフトするように構成されていてもよい。
【００８２】
また、本実施形態の画像形成システム１は、タッチパネル７０からユーザが天地の裁断処理における設定を行うように構成されているが、これに限らない。画像形成システム１は、パソコンからユーザが天地の裁断処理における設定を行い、その設定がジョブ情報に含まれてパソコンから画像形成システム１に送信されるように構成されていてもよい。
【符号の説明】
【００８３】
１：画像形成システム、４０：画像形成部、１４０：折り処理部、１８０：裁断処理部（天地トリマ）、３００：制御部（制御システム）
【図１】
2020128273.tif 000003
【図２】
2020128273.tif 000004
【図３】
2020128273.tif 000005
【図４】
2020128273.tif 000006
【図５】
2020128273.tif 000007
【図６】
2020128273.tif 000008
【図７】
2020128273.tif 000009
【図８】
2020128273.tif 000010
【図９】
2020128273.tif 000011
【図１０】
2020128273.tif 000012
【図１１】
2020128273.tif 000013
【図１２】
2020128273.tif 000014
【図１３】
2020128273.tif 000015
【図１４】
2020128273.tif 000016
【図１５】
2020128273.tif 000017
【図１６】
2020128273.tif 000018